(57)【要約】【課題】周囲の舗装材が沈下して保護枠の側壁が露出しても、除雪車等によって損傷を受ける事を防ぐと共に、剥がれる事を防ぐことのできる保護枠を提供すること。  【解決手段】  路面Ｒに埋設される埋設構造物Ｕ１０の上端部Ｓ１に取り付けられる保護枠１００であって、当該保護枠１００の上側の平坦部１１０から側方に向けて傾斜する傾斜面１２０と、当該傾斜面１２０から連続して下方へ延びる垂下部１３０とを備え、前記傾斜面１２０の上に、前記路面Ｒの舗装材Ａを施すことが可能なことを特徴とする。【選択図】図１
2014196627.tif 000002
【特許請求の範囲】
【請求項１】
路面に埋設される埋設構造物の上端部に取り付けられる保護枠であって、
当該保護枠の上側の平坦部から側方に向けて傾斜する傾斜面と、
当該傾斜面から連続して下方へ延びる垂下部とを備え、
前記傾斜面の上に、前記路面の舗装材を施すことが可能なことを特徴とする保護枠。
【請求項２】
前記傾斜面には、当該傾斜面と前記舗装材との接着を補助する補助接着部材が設けられていることを特徴とする請求項１に記載の保護枠。
【請求項３】
前記補助接着部材は熱可塑性の材質を含むことを特徴とする請求項２に記載の保護枠。
【請求項４】
前記補助接着部材に含まれる熱可塑性の材質とは熱可塑性エラストマーであることを特徴とする請求項３に記載の保護枠。
【請求項５】
前記補助接着部材と前記傾斜面との間には、接着剤が塗布されていることを特徴とする請求項４に記載の保護枠。
【請求項６】
前記請求項１から５に記載の保護枠を備え、埋設構造物の上端側に取り外し可能に設置されることを特徴とする埋設構造物用上端取替部。
【請求項７】
前記請求項１から５に記載の保護枠を備えた埋設構造物。
【発明の詳細な説明】
【技術分野】
【０００１】
本願発明は、路面に埋設されるコンクリート製のＵ字溝等の埋設構造物の上端部に取り付けられる保護枠、並びに、当該保護枠を備えた埋設構造物用上端取替部、及び埋設構造物に関する。
【背景技術】
【０００２】
従来から、路面に埋設されるコンクリート製のＵ字溝等の埋設構造物の上端部は、車両等が通過することで、摩耗したり損傷を受けたりしていた。そこで、その上端部を保護するために、金属製の頑強な素材で形成された保護枠が上端部に取り付けられてきた。
【０００３】
例えば、図７に示す特許文献１の保護枠７００は、コンクリート製のＵ字溝Ｓ１０の上端部Ｓ１に取り付けられるものである。このＵ字溝Ｓ１０は、路面に埋設されると共に、その周囲が、保護枠７００の上側平坦部７１０と同じ高さまで、アスファルト等の舗装材Ａにより埋められる。しかし、この周囲の舗装材Ａは、時間の経過と共に沈下したり、その上を通過する車両等により削られていく。すると、図７に示すように、上側平坦部７１０から直角に折れ曲がった側壁７２０が露出することになる。
【０００４】
このように保護枠７００の側壁７２０が露出することになると、以下のような問題がある。例えば、雪国などでは、路面Ｒに積もった雪を除雪車のスクレーバーＣで掻き集め、そのままＵ字溝Ｓ１０内部に落として、除雪作業を行っている。しかし、作業中に、スクレーバーＣの先端が、その保護枠７００の側壁７２０に衝突し、その衝撃で保護枠７００が損傷する問題があった。さらに、その衝撃により、除雪車を運転する作業員が怪我をする可能性もある。
【０００５】
また、スクレーバーＣの先端が、側壁７２０の先端７２１に引っ掛かり、保護枠７００が剥がれてしまう問題があった。すると、剥がれた保護枠７００が、Ｕ字溝Ｓ１０の上を通過する車両等を傷つける虞もあった。
【０００６】
一方、特許文献２に開示されているマンホールの出入孔に設けられる保護枠は、周囲の舗装材が沈下して低くなっても、路面と保護枠の間に急な段差が生じないようすることを目的として、保護枠の側壁を傾斜させた特徴を備えている。この特徴を保護枠７００に適用して、側壁を傾斜させると、図７において二点鎖線の想像線で示した側壁７２０´のようになる。しかしながら、側壁７２０´を傾斜させたとしても、スクレーバーＣの先端が側壁７２０´の下端７２１´に引っ掛かり、保護枠が剥がれてしまう問題は、解決されていなかった。
【先行技術文献】
【特許文献】
【０００７】
【特許文献１】特開平９−２０９４３９
【特許文献２】公開実用平成２−８０１６１
【発明の開示】
【発明が解決しようとする課題】
【０００８】
そこで、本発明は、上記問題を解決するためになされたものであり、その目的は、周囲の舗装材が沈下して保護枠の側壁が露出しても、除雪車等によって損傷を受ける事を防ぐと共に、剥がれる事を防ぐことのできる保護枠を提供することにある。
【課題を解決するための手段】
【０００９】
上記課題を解決するために、本願発明の保護枠は、路面に埋設される埋設構造物の上端部に取り付けられる保護枠であって、当該保護枠の上側の平坦部から側方に向けて傾斜する傾斜面と、当該傾斜面から連続して下方へ延びる垂下部とを備え、前記傾斜面の上に、前記路面の舗装材を施すことが可能なことを特徴としている。
【００１０】
上記特徴によれば、側方に向けて傾斜する傾斜面を備えているので、保護枠の周囲の舗装材が削られて当該傾斜部が露出しても、除雪車のスクレーバーの先端は、この傾斜部上を滑るように移動するので、スクレーバーの先端から受ける力を逃がすことができる。そのため、従来のように、スクレーバーの先端が、保護枠の側壁に衝突して、保護枠が損傷することはない。
【００１１】
さらに、前記傾斜面から連続して下方へ延びる垂下部を備えているので、例え、保護枠の周囲の舗装材が傾斜面より下方に沈下しても、除雪車のスクレーバーの先端は、垂下部の側面に接触する。そのため、従来のように、保護枠の側壁の先端が、除雪車のスクレーバーの先端に引っ掛かって、剥がされる事を防止することができる。
【００１２】
次に、本願発明の保護枠は、前記傾斜面に、当該傾斜面と前記舗装材との接着を補助する補助接着部材が設けられていることを特徴としている。
【００１３】
本願発明の保護枠は、傾斜面の上に舗装材を施すことが可能である。しかし、図４（ａ）を参照して後述するが、傾斜面の上の舗装材は、その上を通過する車両等から力を受けると、傾斜面の上を滑り沈下しやすく、また、傾斜面の上方ほど舗装断面が薄くなるので、削られて剥がれやすくなる。そこで、傾斜面に舗装材との接着を補助する補助接着部材を設けることで、舗装材が沈下したり、剥がれることを防止している。
【００１４】
次に、本願発明の保護枠は、前記補助接着部材が熱可塑性の材質を含むことを特徴としている。
【００１５】
補助接着部材が、熱を加えると軟化し、冷却されると固化する熱可塑性の材質を含むことで、路面にアスファルト混合物等の舗装材を施工する際に、舗装材の熱により、補助接着部材が加熱されて軟化する。そして、軟化した補助接着部材は、舗装材内の空隙に入り込んで後に固まるため、補助接着部材と舗装材とは、非常に強く接着されることになる。そのため、舗装材が沈下したり、剥がれにくくなる。
【００１６】
次に、本願発明の保護枠は、前記補助接着部材に含まれる熱可塑性の材質が熱可塑性エラストマーであり、さらに、前記補助接着部材と前記傾斜面との間には、接着剤が塗布されていることを特徴としている。
【００１７】
上記特徴によれば、熱可塑性エラストマーを含む補助接着部材により、補助接着部材と舗装材との接着が強固になる。特に、熱可塑性エラストマーは弾性を有するので、舗装材が膨張したり縮んだりしても、その伸縮した分を弾性により吸収するので、舗装材に亀裂が入ったり、舗装材が保護枠の傾斜面から剥がれることを防止できる。
【００１８】
さらに、本願発明の保護枠は、前記補助接着部材と前記傾斜面との間に、接着剤が塗布されていることを特徴としている。
【００１９】
保護枠は金属性の板を加工しているので、金属性の傾斜面と熱可塑性エラストマーを含む補助接着部材との接着力は弱い場合がある。そのため、傾斜面と熱可塑性エラストマーを含む補助接着部材との間に、接着剤を塗布して、両者の接着力を補強する。
【００２０】
また、本願発明の埋設構造物用上端取替部は、上記本願発明の保護枠を備え、埋設構造物の上端側に取り外し可能に設置されることを特徴としている。
【００２１】
埋設構造物の上端側は路面を走行する車両等により損傷を受けることがあるが、上記特徴によれば、その上端側を取り外し可能な埋設構造物用上端取替部とすることで、損傷を受けても、埋設構造物用上端取替部のみを交換すればよい。その結果、損傷を受けても埋設構造物全体を交換しなくてもよいので、メンテナンス費用等を軽減することができる。
【００２２】
また、本願発明の埋設構造物は、上記本願発明の保護枠を備えたことを特徴としている。
【００２３】
上記特徴のように、保護枠を備えた埋設構造物は、周囲の舗装材が削られて、保護枠の側壁が露出しても、除雪車等によって損傷を受ける事を防ぐと共に、剥がれる事を防ぐことができる。
【発明の効果】
【００２４】
上述したように、本願発明によれば、周囲の舗装材が沈下して、保護枠の側壁が露出しても、除雪車等によって損傷を受ける事を防ぐと共に、剥がれる事を防ぐ。
【図面の簡単な説明】
【００２５】
【図１】（ａ）は、本願発明の保護枠の斜視図、（ｂ）は平面図、（ｃ）は側面図である。
【図２】（ａ）は、本願発明の保護枠を埋設構造物に取り付けた状態の側面図、（ｂ）は、保護枠周辺の拡大側面図である。
【図３】（ａ）は、本願発明の保護枠を埋設構造物に取り付け、路面に埋設した状態の側面図、（ｂ）及び（ｃ）は、保護枠周辺の拡大側面図である。
【図４】本願発明の保護枠に、補助接着部材及び接着剤を適用した態様について説明するもので、（ａ）は保護枠周辺の拡大側面図、（ｂ）は保護枠に接着剤を塗布した状態の斜視図、（ｃ）は保護枠に補助接着部材を張り付けた状態の斜視図、（ｄ）は図４（ｃ）に示す保護枠を路面に埋設した状態の拡大側面図である。
【図５】（ａ）は、本願発明の保護枠の変形例（１）を示した保護枠周辺の拡大側面図、（ｂ）は本願発明の保護枠の変形例（２）を示した保護枠周辺の拡大側面図、（ｃ）は本願発明の保護枠の変形例（３）を示した保護枠周辺の拡大側面図である。
【図６】（ａ）は本願発明の保護枠を備えた埋設構造物用上端取替部を示す斜視図、（ｂ）は埋設構造物用上端取替部を埋設構造物に設置した状態の側面図、（ｃ）は本願発明の保護枠を備えた埋設構造物の斜視図である。
【図７】本願発明における従来技術の保護枠周辺の拡大側面図である。
【符号の説明】
【００２６】
１００        保護枠
１１０        平坦部
１２０        傾斜面
１３０        垂下部
Ｒ            路面
Ｓ１０        埋設構造物
【発明を実施するための形態】
【００２７】
以下に、本発明の実施の形態について、図面を用いて説明する。
【００２８】
図１（ａ）は、本願発明の保護枠１００の斜視図を、図１（ｂ）は平面図を、図１（ｃ）は側面図を示している。この保護枠１００の構造について説明すると、この保護枠１００は、平坦部１１０の端部から側方に向けて傾斜する傾斜面１２０と、その傾斜面１２０から下方へ連続した垂下部１３０を備える。さらに、保護枠１００は、傾斜面１２０とは反対側の平坦部１１０の端部から下方に連続した内壁部１４０と、この内壁部１４０に連続し、水平方向に延びるフランジ部１５０と、このフランジ部１５０から下方に連続した屈曲部１６０とを備える。
【００２９】
そして、この保護枠１００は長尺状であり、その長さは取り付けられるＵ字溝等の埋設構造物の長さに応じて決定されている。また、フランジ部１５０には、グレーチングＧを固定するために用いる固定穴１５１が設けられている。なお、保護枠１００は、一枚の金属板を折り曲げて形成されているが、形成方法はこれに限定されることはない。
【００３０】
次に、図２（ａ）、及び（ｂ）に、この保護枠１００を埋設構造物であるＵ字溝Ｓ１０に取り付けた状態を示す。保護枠１００は、Ｕ字溝Ｓ１０の上端Ｓ１に覆いかぶさるように取り付けられている。保護枠１００の内壁部１４０とフランジ部１５０により形成された段部にグレーチングＧが嵌めこまれ、上端Ｓ１内に埋め込まれたナットＰ２に、フランジ部１５０の固定穴１５１を介してボルトＰ１が螺着されて、グレーチングＧが固定されている。
【００３１】
また、垂下部１３０は、Ｕ字溝Ｓ１０の外側の外壁Ｓ２の表面と連続している。一方、屈曲部１６０は、Ｕ字溝Ｓ１０の内側の内壁Ｓ３の表面と連続している。このように、垂下部１３０及び屈曲部１６０が、それぞれ外壁Ｓ２及び内壁Ｓ３の表面から突出しないようすることで、その突出部分から保護枠１００が剥がれてしまうことを防止する。
【００３２】
ここで、Ｕ字溝Ｓ１０に保護枠１００を取り付ける方法の一例について簡単に説明する。まず、Ｕ字溝Ｓ１０は、Ｕ字形状の型枠にコンクリートを流し込んで形成される。そして、形成する際に、その型枠内に保護枠１００を配置してコンクリートを流し込み、Ｕ字溝Ｓ１０と保護枠１００とを一体形成している。また、保護枠１００とＵ字溝Ｓ１０との固定力を増すために、保護枠１００の裏面に凹凸の付いた丸棒等の突起物等を溶接してもよい。
【００３３】
次に、保護枠１００を備えたＵ字溝Ｓ１０を、路面Ｒに埋設した状態を図３に示す。図３（ａ）に示すように、路面Ｒに穴を掘り、そこにＵ字溝Ｓ１０を設置する。そして、路盤Ｅを埋め戻し、その上の表層にアスファルト混合物等の舗装材Ａを施し、路面Ｒが完成する。また、傾斜面１２０は平坦部１１０と連続しているので、路面Ｒの表面が平坦部１１０と同一平面になるまで、傾斜面１２０の上に舗装材Ａを施すことができる。なお、舗装材Ａは、骨材として大量の砂利等を含んでいるので、その内部に多数の空隙を有する。
【００３４】
図３（ｂ）には、保護枠１００の周囲の拡大図を示す。舗装材Ａは、一般的に、最低約３０ｍｍから、最大約５０ｍｍの厚さで施工されている。そのため、傾斜面１２０の上端から下端までの高さＬ１は、約３０ｍｍとし、垂下部１３０の上端から下端までの高さＬ２を約２０ｍｍとした。このような寸法とすることで、舗装材Ａが沈下したり削られたりしても、傾斜面１２０又は垂下部１３０の側面は露出するが、垂下部１３０の先端１３１及び外壁Ｓ２は露出しない。なお、本願明細書では、舗装材Ａが、傾斜面１２０より下方へ削られたり沈下したりすることは、稀であるとする。その程度まで舗装材Ａが沈下すると大きな段差が生じ、その上を走行する車両等に衝撃を与えるので、そこまで沈下がひどくなる前に、修復されるのが一般的だからである。
【００３５】
次に、図３（ｃ）に示すように、時間の経過とともに舗装材Ａの表面が沈下すると、傾斜面１２０の表面が露出する。その状態で、スクレーバーＣの先端が保護枠１００に向かって進行しても、スクレーバーＣの先端は傾斜面１２０の表面に沿って滑っていくので、傾斜面１２０はスクレーバーＣの先端から受ける力を、傾斜面１２０の表面に沿って逃がすことができる。そのため、保護枠１００がスクレーバーＣの先端から受ける力により損傷することはない。一方、従来の保護枠７００を二点鎖線の想像線で示したが、保護枠７００では、スクレーバーＣの先端が側壁７２０に衝突して、保護枠７００が損傷してしまう。
【００３６】
また、仮に、舗装材Ａがさらに沈下したとしても、垂下部１３０の側面が外部に露出するだけで、垂下部１３０の先端１３１まで露出することはない。そのため、垂下部１３０の先端１３１がスクレーバーＣの先端に引っ掛かり、保護枠１００が剥がれる恐れもない。
【００３７】
次に、図４を参照して、保護枠１００に接着剤Ｆや補助接着部材Ｂを適用して、舗装材Ａが剥がれるのを防止する事について説明する。
【００３８】
まず、図４（ａ）を参照して、傾斜面１２０の上に施された舗装材Ａが剥がれたり沈下したりすることについて説明する。図４（ａ）に示すように、傾斜面１２０の上の舗装材Ａは、その舗装材Ａの上を通過する車両等から鉛直方向への大きな力を受ける。すると、舗装材Ａは傾斜面１２０に沿って下方へ沈下しやすくなる。さらに、傾斜面１２０は金属製材料で形成されているので、舗装材Ａが傾斜面１２０の上を滑りやすくなっている。
【００３９】
また、傾斜面１２０の上の舗装材Ａは、その中腹辺りでは舗装断面Ｖにより、その前後の舗装材Ａ１と舗装材Ａ２とが固着されている。しかし、傾斜面１２０の上端側ほど、舗装断面Ｖが薄くなるので（言い換えると、舗装断面の面積が小さくなるので）、その前後の舗装材Ａ１と舗装材Ａ２の固着力が弱くなり、先端側の舗装材Ａ１は、削られて取れやすくなる。
【００４０】
そこで、傾斜面１２０の上の舗装材Ａが剥がれにくくするために、接着剤Ｆ、及び補助接着部材Ｂを用いる。まず、図４（ｂ）に示すように、傾斜面１２０及び垂下部１３０の表面に、接着剤Ｆを塗布する（以下、塗布工程と呼ぶ。）。この接着剤Ｆは、後述する補助接着部材Ｂと傾斜面１２０の表面との接着をより強固にするものである。
【００４１】
この接着剤Ｆは、従来から舗装用に用いられる接着剤であればよいが、特に、補助接着部材Ｂと傾斜面１２０の表面のそれぞれとの接着の相性から、アスファルト乳剤が好ましい。このアスファルト乳剤とは、アスファルトを界面活性剤を含む水中に乳化、分散させたものである。また、アスファルト乳剤に、樹脂やゴム等を混合して、結合力や付着力を増した改質アスファルト乳剤を用いてもよい。
【００４２】
次に、図４（ｃ）に示すように、上記塗布工程の後に、接着剤Ｆの上に補助接着部材Ｂを張り付ける（以下、張付工程と呼ぶ。）。この補助接着部材Ｂは、薄いシート状なので、傾斜面１２０及び垂下部１３０に容易に張り付けることができる。また、この補助接着部材Ｂは、熱可塑性の材質を含むことが好ましく、更には、熱可塑性エラストマーが最適である。
【００４３】
この熱可塑性とは、熱を加えると軟化し、冷却されて常温になると固化するものであり、熱可塑性エラストマーとは、熱を加えると軟化して流動性を示し、冷却されて常温になるとゴム状弾性体に戻る性質を持つエラストマーである。また、熱可塑性エラストマーには、アスファルト、ゴム等を混合して、結合力や付着力を増してもよい。
【００４４】
ここで、保護枠１００は金属板を加工して形成されており、傾斜面１２０の金属表面と、熱可塑性エラストマーを含む補助接着部材Ｂとの接着力は弱い場合がある。そのため、補助接着部材Ｂと傾斜面１２０の表面との接着力を増すために、アスファルト乳剤を含む接着剤Ｆを塗布している。
【００４５】
次に、図４（ｄ）に示すように、上記張付工程後に、保護枠１００の傾斜面１２０の上から舗装材Ａを施す。舗装材Ａは、施工時には約１５０度と高温になるので、舗装材Ａと接触している補助接着部材Ｂは加熱され、軟化して流動性を示す。そして、軟化した補助接着部材Ｂは、舗装材Ａ内の空隙に入り込み、やがて常温まで冷やされて、空隙に入り込んだ状態で固化する。このように、舗装材Ａの空隙に補助接着部材Ｂが入り込んで固まるため、舗装材Ａと補助接着部材Ｂとは、非常に強く結合（接着）することになる。
【００４６】
また、この補助接着部材Ｂは、傾斜面１２０の表面に接着剤Ｆにより強く接着している。そのため、舗装材Ａは、補助接着部材Ｂ及び接着剤Ｆを介して、傾斜面１２０の表面に強固に接着されることになる。また、仮に、舗装材Ａが傾斜面１２０を超えて、垂下部１３０まで沈下したとしても、補助接着部材Ｂが垂下部１３０まで張り付けられているので、舗装材Ａが更に沈下するのを防止することができる。
【００４７】
また、舗装材Ａは外気温の変化によって、膨張したり縮んだりする。そのため、傾斜面１２０の上に施された舗装材Ａが膨張した場合、その舗装材Ａの側面（図面上左側）及び下面方向には、頑丈な金属製の傾斜面１２０が位置しているので、その膨張した分の体積は、うまく吸収されない（つまり、頑丈な金属製の傾斜面１２０は、変形しにくいので、舗装材Ａの膨らみを吸収することができない）。その結果、膨張した舗装材Ａは、逃げ場がなくなり亀裂が入る虞がある。
【００４８】
また、舗装材Ａが縮んだ場合は、頑強な金属性の傾斜面１２０は、それに追従することができず（つまり、頑丈な金属製なので変形して追従することができない）、舗装材Ａが傾斜面１２０から剥がれてしまう虞もある。
【００４９】
しかしながら、補助接着部材Ｂに含まれる熱可塑性エラストマーは、ゴム状弾性体であるため、舗装材Ａが膨張したり縮んだりしても、その伸縮した分をその弾性により吸収するので、舗装材Ａに亀裂が入ったり、舗装材Ａが傾斜面１２０から剥がれることを防止できる。
【００５０】
なお、本実施例では、接着剤Ｆと補助接着部材Ｂを用いて傾斜面１２０と舗装材Ａとを強固に接着させているが、傾斜面１２０に舗装材Ａを接着できるものであれば、他の材料を利用することができる。例えば、路面に段差が生じた場合に、その段差を補修するために、一般的に利用される特殊アクリル樹脂系の路面補修材など、様々な材料を用いてもよい。
【００５１】
（変形例１）
以下では、図５（ａ）を参照して、本発明の保護枠１００の変形例である保護枠２００について説明する。なお、保護枠１００と共通する構成については、図面上符号を付して説明することを省略する。
【００５２】
図５（ａ）に示す保護枠２００は、平坦部２１０から連続した傾斜面２２０の下端側に、水平方向に延びる平坦な段部２２１を設けている。そして、この段部２２１の側端から下方へ延びる垂下部２３０を備えている。もし、傾斜面２２０の上に施された舗装材Ａが傾斜面２２０上を滑り沈下しても、水平方向に延びる平坦な段部２２１によって、舗装材Ａがそれ以上滑り沈下するのを防止する。
【００５３】
（変形例２）
以下では、図５（ｂ）を参照して、本発明の保護枠１００の変形例である保護枠３００について説明する。なお、保護枠１００と共通する構成については、図面上符号を付して説明することを省略する。
【００５４】
図５（ｂ）に示す保護枠３００の傾斜面３２０は円弧状の形状をしており、その両端部が、それぞれ平坦部３１０と垂下部３３０に連続している。傾斜面３２０が円弧状になっていることで、傾斜面３２０に除雪車のスクレーバーの先端が接触した際に、傾斜面３２０の表面とスクレーバーの先端との間の摩擦力を低減させることができる。
【００５５】
すなわち、図３（ｃ）では、スクレーバーＣの先端面と傾斜面１２０の表面とが互いに面接触して、スクレーバーＣの先端が傾斜面１２０上を滑るように移動している。しかし、図５（ｂ）では、傾斜面３２０が円弧状の形状をしているので、スクレーバーＣの先端面と傾斜面３２０の表面とは互いに点接触して、スクレーバーＣの先端が傾斜面３２０上を滑るように移動する。したがって、傾斜面３２０の表面とスクレーバーの先端面との間の摩擦力は、図３（ｃ）に示す面接触の場合と比較して、低減される。
【００５６】
（変形例３）
以下では、図５（ｃ）を参照して、本発明の保護枠１００の変形例である保護枠４００について説明する。なお、保護枠１００と共通する構成については、図面上符号を付して説明することを省略する。
【００５７】
図５（ｃ）に示す保護枠４００の垂下部４３０は、保護枠１００の垂下部１３０と比較して、下方へより延長された形状をしている。垂下部４３０を舗装材Ａ層だけでなく路盤Ｅ層まで到達させることで、仮に舗装材Ａ層を超えて路盤Ｅ層まで路面Ｒが沈下しても、除雪車のスクレーバー先端は、路盤Ｅ層まで延長された垂下部４３０に接触することになる。そのため、スクレーバー先端が、外壁Ｓ２に衝突してＵ字溝Ｓ１０が破損するのを防ぐことができる。また、垂下部４３０が路盤Ｅ層まで延長されているので、垂下部４３０の先端４３１にスクレーバー先端が引っ掛かり、剥がれることも防止できる。
【００５８】
（埋設構造物用上端取替部について）
以下では、本願発明の保護枠を利用した埋設構造物用上端取替部について説明する。なお、この埋設構造物用上端取替部に利用する保護枠は、上記した保護枠１００から保護枠４００のいずれの保護枠を利用してもよい。また、この埋設構造物用上端取替部は、保護枠を利用しているため、特に記載しなくても、上述した保護枠の作用及び効果を維持している。
【００５９】
図６（ａ）に示すように、埋設構造物用上端取替部５００は、一対の上端ブロック５１０が梁部５２０によって連結されて、枠体に形成されている。上端ブロック５１０には、保護枠５３０が設けられている。なお、上端ブロック５１０及び梁部５２０は、コンクリートで一体形成されている。
【００６０】
この埋設構造物用上端取替部５００は、図６（ｂ）に示すように、既存のＵ字溝Ｓ２０の上端に設置される。そして、埋設構造物用上端取替部５００が設置されたＵ字溝Ｓ２０は、図３（ａ）に示す状態と同様に、平坦部５３１と路面Ｒの表面が一致するように、埋設されて使用される。なお、埋設構造物用上端取替部５００は、Ｕ字溝Ｓ２０に設置されるが、両者を強固に固定するために、例えば、既存の接着材料やボルト・ナット等の固定部材など、適宜利用してもよい。
【００６１】
ここで、図３（ａ）に示すＵ字溝Ｓ１０の上端Ｓ１は、その上を走行する車両等の重量により、損傷を受ける場合がある。勿論、保護枠１００により保護されているが、それでも時間の経過共に劣化して損傷を受ける場合がある。その場合には、上端側が損傷を受けたことにより、Ｕ字溝Ｓ１０全体を取り換える必要がある。
【００６２】
しかしながら、図６（ｂ）に示すように、Ｕ字溝Ｓ２０の上端側には、取りかえ可能な埋設構造物用上端取替部５００が設置されているので、損傷を受けても埋設構造物用上端取替部５００のみを取り換えればよく、Ｕ字溝Ｓ２０を取り換える必要はない。従って、メンテナンス費用が大幅に削減される。
【００６３】
また、埋設構造物用上端取替部５００は、一対の上端ブロック５１０が梁部５２０によって連結されて枠体に形成されている。しかしながら、埋設構造物用上端取替部５００は、梁部５２０を設けずに、保護枠５３０を設けた上端ブロック５１０単体のみとしてもよい。そして、上端ブロック５１０単体は、Ｕ字溝Ｓ２０の両側の上端に、それぞれ設置して使用することができる。
【００６４】
（埋設構造物について）
以下では、本願発明の保護枠を利用した埋設構造物について説明する。なお、この埋設構造物に利用する保護枠は、上記した保護枠１００から保護枠４００のいずれの保護枠を利用してもよい。また、この埋設構造物は、保護枠を利用しているため、特に記載しなくても、上述した保護枠の作用及び効果を維持している。
【００６５】
図１から５では、保護枠を備えた埋設構造部物として、Ｕ字溝を例示した。この他にも、例えば、埋設構造部物として、図６（ｃ）に示す逆Ｕ字状の可変側溝６００にも、保護枠を設けることができる。この可変側溝６００には、その上端の両側に保護枠６３０が設けられており、図３（ａ）に示す状態と同様に、平坦部６３１と路面Ｒの表面が一致するように、路面に埋設されて使用される。なお、本願の保護枠は、可変側溝６００以外にも、路面に埋設される既存の様々な構造物、特に、その上端側が除雪車のスクレーバー先端と接触する環境に設置される構造物に設けることができる。
【００６６】
なお、本願発明の保護枠、並びに、当該保護枠を備えた埋設構造物用上端取替部、及び埋設構造物は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2014196627.tif 000003
【図２】
2014196627.tif 000004
【図３】
2014196627.tif 000005
【図４】
2014196627.tif 000006
【図５】
2014196627.tif 000007
【図６】
2014196627.tif 000008
【図７】
2014196627.tif 000009